(57)【要約】【課題】  金属製でありながらシールのように使える金属製装飾シートで、平面を飾ることができる。【解決手段】  腕時計の文字盤に使用されている技術を応用し、メッキ処理を施した金属製の薄いプレートの裏面を接着面とし、切り取って使えるシート状にすることで、シールのように手軽にプラスチックや革製品等の平面を金属で飾ることができるようにした。【選択図】    図１
0003112273.tif 000002
【実用新案登録請求の範囲】
【請求項１】
腕時計の文字盤に使用されている技術を利用し、メッキ処理を施した金属製の薄いプレートで裏面を接着面とし、プラスチックや革製品等の平面に貼ることができ、手軽に金属の風合いを楽しめることを特徴とする装飾用シート。
【考案の詳細な説明】
【技術分野】
【０００１】  本考案は、腕時計の文字盤を作る際の極薄金属プレートの製造・加工技術を応用し、細密な表現が可能な裏面を接着面とする金属製の装飾シートに関するものである。
【背景技術】
【０００２】  例えば、自分の持ち物に金属の加工や装飾を施すのは、特別な道具や技術がないと難しく、専門科に依頼したのでは多額の費用が必要だった。
【考案の開示】
【考案が解決しようとする課題】
【０００３】  自分の持ち物を他人のものと差別化するために高級感のある加工を施そうとすると、オーダーメイドや名入れといった高額な費用がかかってしまう。また安価な方法でしようとすると、自分で色を塗ったりシールを貼ったり根付けやストラップをつけるなどしかなく、高級感は得られない。そこで、腕時計の文字盤の時間の刻みを作る時に使われているメッキ処理のできる金属の薄いシートをシールのように加工し、それを貼ることにより手軽に金属加工の風合いが楽しめ、それでいて高級感を失わずに自分の持ち物への加工を可能にしようとするものである。
【課題を解決するための手段】
【０００４】  本考案は、腕時計の文字盤に使用されている技術を応用し、メッキ処理を施した金属製の薄いプレートの裏面が接着面になったシートにすることで、金属製でありながらシールのようにプラスチックや革製品の平面に貼ることができる。
【考案の効果】
【０００５】    上述の様に、本考案の腕時計の文字盤に使用されている技術を利用した金属製装飾シートは、腕時計の文字盤の時間の刻みを作る時に使われている技術のため、細かい表現も可能である。また、メッキ処理のできる金属のシートのため、例えば１８金メッキを施したものであれば１８金の輝きを表現することができる。そのためシールのように手軽に貼れるものでありながら、貼ったとは思えないくらい高級な金属の風合いが楽しめるものである。
【考案を実施するための最良の形態】
【０００６】  金属製装飾シートの使いたい部分を切り取り、セパレーターをはがし貼付けたい部分のほこりや油分をよく拭き取ってから貼付ける。よく押し当て、定着したら表面の透明フィルムをはがすことで金属製のプレートだけを貼付けることができる。
【実施例】
【０００７】  以下、添付図面に従って一実施例を説明する。１は約０．２ミリ厚の金属製装飾シート本体、２は裏が接着面になっている金属部材、３はセパレータ−（剥離紙）、４は金属部材を貼る対象、５は表面を覆う透明フィルムで金属部材に接する面に弱い粘着性がある。【０００８】  本考案の一実施例は上述のごとき構成からなるものであるから、金属製装飾シート１から使いたい金属部材２の部分を切り取り、セパレーター３をはがし貼る対象４の貼付けたい部分のほこりや油分をよく拭き取ってから貼付ける。よく押し当て、定着したら表面の透明フィルム５をそっとはがし、金属部材だけを貼付けることが可能である。
【図面の簡単な説明】
【０００９】
【図１】本考案の金属製装飾の一実施例を示す正面図である。
【図２】本金属製装飾シートの具体的使用例のスケッチ図である。
【図３】本金属製装飾シートの断面説明図である。
【図４】本金属製装飾シートの具体的使用例のスケッチ図である。
【符号の説明】
【００１０】  １  金属製装飾シート全体
２  金属部材
３  セパレーター（剥離紙）
４  貼る対象
５  透明フィルム
【図１】
0003112273.tif 000003
【図２】
0003112273.tif 000004
【図３】
0003112273.tif 000005
【図４】
0003112273.tif 000006
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
メッキ処理を施した金属製の薄いプレートで裏面を接着面とし、プラスチックや革製品等の平面に貼ることができ、手軽に金属の風合いを楽しめることを特徴とする装飾用シート。
【手続補正２】
【補正対象書類名】明細書
【補正対象項目名】全文
【補正方法】変更
【補正の内容】
【考案の詳細な説明】
【技術分野】
【０００１】本考案は、細密な表現が可能な極薄金属プレートの製造・加工技術を応用し、裏面を接着面とする金属製の装飾シートに関するものである。
【背景技術】
【０００２】  例えば、自分の持ち物に金属の加工や装飾を施すのは、特別な道具や技術がないと難しく、専門科に依頼したのでは多額の費用が必要だった。
【考案の開示】
【考案が解決しようとする課題】
【０００３】  自分の持ち物を他人のものと差別化するために高級感のある加工を施そうとすると、オーダーメイドや名入れといった高額な費用がかかってしまう。また安価な方法でしようとすると、自分で色を塗ったりシールを貼ったり根付けやストラップをつけるなどしかなく、高級感は得られない。そこで、メッキ処理のできる金属の薄いシートをシールのように加工し、それを貼ることにより手軽に金属加工の風合いが楽しめ、それでいて高級感を失わずに自分の持ち物への加工を可能にしようとするものである。
【課題を解決するための手段】
【０００４】本考案は、メッキ処理を施した金属製の薄いプレートの裏面が接着面になったシートにすることで、金属製でありながらシールのようにプラスチックや革製品の平面に貼ることができる。
【考案の効果】
【０００５】上述の様に、本考案の金属製装飾シートは、メッキ処理のできる金属のシートのため、例えば１８金メッキを施したものであれば１８金の輝きを表現することができる。また、細かい表現も可能であるため、シールのように手軽に貼れるものでありながら、貼っただけとは思えないくらいの高級な金属の風合いが楽しめるものである。
【考案を実施するための最良の形態】
【０００６】  金属製装飾シートの使いたい部分を切り取り、セパレーターをはがし貼付けたい部分のほこりや油分をよく拭き取ってから貼付ける。よく押し当て、定着したら表面の透明フィルムをはがすことで金属製のプレートだけを貼付けることができる。
【実施例】
【０００７】  以下、添付図面に従って一実施例を説明する。１は約０．２ミリ厚の金属製装飾シート本体、２は裏が接着面になっている金属部材、３はセパレーター（剥離紙）、４は金属部材を貼る対象、５は表面を覆う透明フィルムで金属部材に接する面に弱い粘着性がある。【０００８】  本考案の一実施例は上述のごとき構成からなるものであるから、金属製装飾シート１から使いたい金属部材２の部分を切り取り、セパレーター３をはがし貼る対象４の貼付けたい部分のほこりや油分をよく拭き取ってから貼付ける。よく押し当て、定着したら表面の透明フィルム５をそっとはがし、金属部材だけを貼付けることが可能である。
【図面の簡単な説明】
【０００９】
【図１】本考案の金属製装飾の一実施例を示す正面図である。
【図２】本金属製装飾シートの具体的使用例のスケッチ図である。
【図３】本金属製装飾シートの断面説明図である。
【図４】本金属製装飾シートの具体的使用例のスケッチ図である。
【符号の説明】
【００１０】  １  金属製装飾シート全体  ２  金属部材  ３  セパレーター（剥離紙）  ４  貼る対象  ５  透明フィルム